(57)【要約】【課題】  容器本体から取り外した手動ポンプを保持する補助部材を備えることにより、内容液の補充作業を確実に行えるようにした吐出器付き注出容器を創出することを課題とする。【解決手段】  容器本体２の口筒部に装着される装着キャップ１０を介して手動ポンプ２０が組付けられたポンプ付き注出容器であって、手動ポンプ２０が、ポンプ本体２１と、ステム２３と、ノズルヘッド２２と、を有して構成され、装着キャップ１０に、手動ポンプ２０を倒立姿勢の状態で保持する補助部材３０が着脱可能に設けられ、補助部材３０は、上下の内周端に径方向内側に突出する第１係止部３３及び第２係止部３４が設けられると共に装着キャップ１０に嵌合する嵌合周壁部３１を有し、嵌合周壁部３１の上下の内周端には第１係止部３３及び第２係止部３４が夫々突設され、ノズルヘッド２２には第１係止部３３及び第２係止部３４が係止される下鍔部２２ｃが設けられた構成とする。【選択図】  図５
2020196478.tif 000002
【特許請求の範囲】
【請求項１】
容器本体（２）の口筒部に装着される装着キャップ（１０）を介して押し下げ式の手動ポンプ（２０）が組付けられたポンプ付き注出容器であって、
前記手動ポンプ（２０）が、前記装着キャップ（１０）内に取り付けられたポンプ本体（２１）と、前記ポンプ本体（２１）の頂壁（２１Ａ）に立設されたステム（２３）と、該ステム（２３）の上端に設けられたノズルヘッド（２２）と、を有して構成され、
前記装着キャップ（１０）に、前記手動ポンプ（２０）を倒立姿勢の状態で保持する補助部材（３０）が着脱可能に設けられており、
前記補助部材（３０）は、上下の内周端に径方向内側に突出する第１係止部（３３）及び第２係止部（３４）が設けられると共に前記装着キャップ（１０）に嵌合する嵌合周壁部（３１）を有し、
前記ノズルヘッド（２２）には、前記第１係止部（３３）又は前記第２係止部（３４）が係止される下鍔部（２２ｃ）が設けられていることを特徴とするポンプ付き注出容器。
【請求項２】
補助部材（３０）に、嵌合周壁部（３１）及びフランジ部（３２）が形成されていない部分である欠損部（３５）が設けられている請求項１記載のポンプ付き注出容器。
【請求項３】
補助部材（３０）に、嵌合周壁部（３１）の上下の一方の外周端から径方向外側に向かって広がるフランジ部（３２）が延設されている請求項１又は２記載のポンプ付き注出容器。
【発明の詳細な説明】
【技術分野】
【０００１】
本発明は、容器本体の口筒部に押し下げ式の手動ポンプを備えるポンプ付き注出容器に関する。
【背景技術】
【０００２】
例えば特許文献１には、口筒部に容器本体に収納された内容液を注出するための機構として、押し下げ式の手動ポンプを備えたポンプ付き注出容器に関する発明が記載されている。
【先行技術文献】
【特許文献】
【０００３】
【特許文献１】特開平１０−２９６１４０号公報
【発明の開示】
【発明が解決しようとする課題】
【０００４】
この種のポンプ付き注出容器では、容器本体内の内容液の残量が少なくなると、新たな内容液が補充される。内容液を補充する作業では、容器本体の口筒部から押し下げ式の手動ポンプを螺脱させて取り外し、新たな内容液を容器本体内に補充した後、再び手動ポンプを口筒部に螺着させるという補充作業が必要となる。
しかしながら、容器本体から取り外された手動ポンプは形状的に不安定であることから、床や洗面台等からなる平面台上にそのまま置いた場合には、補充作業中に手動ポンプが転倒したり、回転したりして、手動ポンプの周囲に残留している内容液が平面台に付着して汚してしまうという問題がある。
さらには補充作業中において、転倒又は回転した際に手動ポンプに付着した異物が、容器本体内に取り込まれてしまう虞もある。
【０００５】
本発明は、上記従来の課題を解決すべく、容器本体から取り外した手動ポンプを保持する補助部材を備えることにより、内容液の補充作業を確実に行えるようにした吐出器付き注出容器を創出することを課題とする。
【課題を解決するための手段】
【０００６】
上記課題を解決するための手段のうち、本発明の主たる手段は、
容器本体の口筒部に装着される装着キャップを介して押し下げ式の手動ポンプが組付けられたポンプ付き注出容器であって、
手動ポンプが、装着キャップ内に取り付けられたポンプ本体と、ポンプ本体の頂壁に立設されたステムと、ステムの上端に設けられたノズルヘッドと、を有して構成され、
装着キャップに、手動ポンプを倒立姿勢の状態で保持する補助部材が着脱可能に設けられており、
補助部材は、上下の内周端に径方向内側に突出する第１係止部及び第２係止部が設けられると共に装着キャップに嵌合する嵌合周壁部を有し、
ノズルヘッドには、第１係止部又は第２係止部が係止される下鍔部が設けられていることを特徴とする、と云うものである。
本発明の主たる手段では、装着キャップの側の外周壁に対して着脱可能に設けた補助部材を、フランジ部を下側とする第１姿勢とした状態でノズルキャップに装着すると、手動ポンプを倒立状態で保持することが可能となり、内容液の補充作業を容易とすることを達成し得る。またフランジ部を上側とする第２姿勢にした状態で装着キャップに装着すると、フランジ部が指掛け機能を発揮し得ることから、ノズルヘッドを押し下げての注出作業を片手で行うことを達成し得る。
【０００７】
また本発明の他の手段は、上記主たる手段に、補助部材に、嵌合周壁部及びフランジ部が形成されていない部分である欠損部が設けられている、との手段を加えたものである。
上記手段では、欠損部を利用し、嵌合周壁部を拡径状に変形させることにより、補助部材の装着キャップへの着脱作業を容易とすることを達成し得る。
【０００８】
また本発明の他の手段は、上記いずれかの手段に、補助部材に、嵌合周壁部の上下の一方の外周端から径方向外側に向かって広がるフランジ部が延設されている、との手段を加えたものである。
上記手段では、フランジ部が倒立姿勢にある手動ポンプを安定的に支えることができ、手動ポンプの転倒の抑制を達成し得る。
【発明の効果】
【０００９】
本発明では、容器本体から取り外した手動ポンプを補助部材で安定的に保持することができるため、内容液の補充作業を確実に行うことが可能となる。
【図面の簡単な説明】
【００１０】
【図１】本発明の実施例を示すポンプ付き注出容器の側面図である。
【図２】ポンプ付き注出容器の平面図である。
【図３】ポンプ付き注出容器を拡大して示す部分断面図である。
【図４】使用状態の一例として、注出操作を示すポンプ付き注出容器の側面図である。
【図５】使用状態の一例として、補充時における手動ポンプの倒立状態を示す側面図である。
【図６】図５のＩ−Ｖ線Ｉおける矢視方向断面図である。
【発明を実施するための形態】
【００１１】
以下、本発明の実施の形態について図面を参照しつつ説明する。
図１は本発明の実施例を示すポンプ付き注出容器の側面図、図２はポンプ付き注出容器の平面図、図３はポンプ付き注出容器を拡大して示す部分断面図、図４は使用状態の一例として、注出操作を示すポンプ付き注出容器の側面図、図５は使用状態の一例として、補充時における手動ポンプの倒立状態示す側面図、図６は図５のＶＩ−ＶＩ線における矢視方向断面図である。
図１乃至図３はポンプ付き注出容器が流通過程に置かれたとき実施形態の一例を、図４は内容液を注出する注出操作時の実施形態の一例を、図５及び図６は内容液の補充作業中の実施形態の一例を夫々示している。
【００１２】
以下の説明において、容器軸Ｏに沿う方向を軸方向、容器軸Ｏに直交する方向を径方向、容器軸Ｏに周回する方向を周方向とし、また軸方向のうちノズルヘッドが位置する側を上方向、容器本体の底部が位置する側を下方向とする。
尚、ポンプ付き注出容器の容器本体２内に充填される内容液としては、例えばシャンプー液やリンス液等であるが。これに限られるものではない。またステム内部に使用されるスプリング（図示せず）やボール弁（図示せず）を除いて、各部材は合成樹脂製である。
【００１３】
図１に示されるポンプ付き注出容器１は、容器本体２の口筒部（図示省略）に、装着キャップ１０を介して押し下げ式の手動ポンプ２０を組付け固定して装着したものであり、この装着キャップ１０の外周壁１１に補助部材３０が設けられている。
【００１４】
容器本体２は、底部３、胴部４及び口筒部を有して成る有底筒状の容器であり、口筒部の外周面には装着キャップ１０を螺着するための雄ネジ（図示せず）が螺刻されている。
【００１５】
図４に示すように、手動ポンプ２０は、容器本体２の内部に配置されるポンプ本体２１を有し、このポンプ本体２１の頂壁２１Ａには軸方向に沿って延びるステム２３が立設されている。ステム２３はポンプ本体２１の頂壁２１Ａに形成された開口部を介して上方に突出し、その上端にはノズルヘッド２２が設けられている。またステム２３は内蔵するスプリング（図示せず）により軸方向に沿って進退可能に構成されている。
【００１６】
ポンプ本体２１は、その構成は公知であることから詳細な説明は省略するが、上端に設けられたノズルヘッド２２を押し下げると、ポンプ本体２１の下端から内容液を吸い上げてノズルヘッド２２に導くことが可能となっている。
【００１７】
図１乃至図３に示すように、ノズルヘッド２２は、ヘッド本体２２ａの下端にステム２３に連結する嵌合筒２２ｄと、この嵌合筒２２ｄに連通すると共にヘッド本体２２ａの側面から径方向外側に向かって延出するノズル筒２２ｂを有して構成されており、ヘッド本体２２ａの内周面には雌ネジ２２ａ１（図６参照）が螺刻され、ヘッド本体２２ａの外周面の下端の位置には径方向外側に向かって突出する下鍔部２２ｃが周設されている
【００１８】
使用前の流通過程においては、ヘッド本体２２ａの雌ネジ２２ａ１がポンプ本体２１の上部の外周面に形成された雄ネジ２１ａ（図４参照）に螺合固定することで、ノズルヘッド２２が下降した位置にあり、ステム２３はポンプ本体２１内に収納されている。
【００１９】
補助部材３０は、円筒状に形成された装着キャップ１０の外周壁１１に嵌合する嵌合周壁部３１を有し、この嵌合周壁部３１の上下方向の一方の端部（図１、図３では下端）には径方向外側に向かって広がるフランジ部３２が延設されている。補助部材３０は、ポンプ付き注出容器１の流通過程においては、フランジ部３２を下方向に向けた状態（第１姿勢）で装着キャップ１０の外周壁１１に装着されている。
【００２０】
本実施例では、嵌合周壁部３１及びフランジ部３２は、一周に渡って形成された完全な円筒状又は外鍔状ではなく、平面視略Ｃ字状を形成する略２／３周に相当する範囲のみが円筒状又は外鍔状に形成され、その他一部の範囲（略１／３周の範囲）には嵌合周壁部３１及びフランジ部３２が形成されていない部分である欠損部３５が設けられている。
【００２１】
装着キャップ１０は、手動ポンプ２０を容器本体２の口筒部に固定するための部材であり、外周面に滑り止め用のローレット１１ａが刻設されると共に内周面には容器本体２の口筒部に形成された雄ネジに螺合する雌ネジ（図示せず）が螺刻された外周壁１１が設けられている。
【００２２】
補助部材３０の嵌合周壁部３１の内周面の上端及び下端には、径方向内側に向かって突出する第１係止部３３及び第２係止部３４が夫々突設されている。第１係止部３３及び第２係止部３４は共に同じ形状で形成されていれば良く、これら第１係止部３３及び第２係止部３４は嵌合周壁部３１の内周面に周方向に連続的に形成されていても構わないし、間欠的に形成されていても構わない。
【００２３】
次に、手動ポンプ２０が装着キャップ１０を介して装着されたポンプ付き注出容器１において、装着キャップ１０の外周壁１１に補助部材３０を装着する方法について説明する。
まず、補助部材３０の姿勢を、フランジ部３２側を下方向に向ける第１姿勢とする。そして、装着キャップ１０の外周壁１１に対し、補助部材３０の欠損部３５を径方向内側に向かって当接させる。すると、欠損部３５が強制的に押し開かれて嵌合周壁部３１が拡径状に変形するため、補助部材３０を装着キャップ１０の外周壁１１に装着することができる（図１参照）。
【００２４】
この際、図２及び図３に示すように、嵌合周壁部３１の内周面の上下に設けられた第１係止部３３及び第２係止部３４が、装着キャップ１０の外周壁１１の上端及び下端を上下方向から挟み込んで夫々係止する。これにより、嵌合周壁部３１が装着キャップ１０の外周壁１１に対して強固に嵌合するため、装着後の補助部材３０のガタツキを防止することができる。尚、ポンプ付き注出容器１は、上記の方法で補助部材３０を装着キャップ１０の外周壁１１に組付けた状態で流通過程に置かれる。
【００２５】
補助部材３０を装着キャップ１０の外周壁１１から取り外すには、装着時とは逆の操作行う。すなわち、補助部材３０の嵌合周壁部３１が装着キャップ１０の外周壁１１に嵌合している状態において、嵌合周壁部３１又はフランジ部３２を保持しながらステム２３から離れる径方向外側に向かって補助部材３０を強制的に引き出す。すると、嵌合周壁部３１の内周面の上下に設けられた第１係止部３３及び第２係止部３４による装着キャップ１０の外周壁１１の上端及び下端における係止が解除される。さらに補助部材３０を引き出すと、引き出し操作に応じて欠損部３５が押し開かれて嵌合周壁部３１が拡径状に変形するため、補助部材３０を装着キャップ１０の外周壁１１から取り外すことができる。
このように、補助部材３０は装着キャップ１０の外周壁１１に対して着脱可能に構成されている。
【００２６】
次に、装着キャップ１０の外周壁１１に補助部材３０が装着された図１の状態にあるポンプ付き注出容器１において、容器本体２内に充填されている内容液を注出する方法について説明する。
まず、補助部材３０を装着キャップ１０の外周壁１１から取り外すと共に、図４に示すように、取り外した補助部材３０の上下を反転させ、すなわちフランジ部３２を上方に向けた第２姿勢とした後、補助部材３０を装着キャップ１０の外周壁１１に再び装着する。
この場合においても、嵌合周壁部３１の内周面の上下に設けられた第１係止部３３及び第２係止部３４が、装着キャップ１０の外周壁１１の上端及び下端を夫々係止した状態で嵌合周壁部３１が装着キャップ１０の外周壁１１に嵌合するため、装着後の補助部材３０のガタツキを防止することが可能となっている。
【００２７】
次に、ノズルヘッド２２を周方向に回転させ、ポンプ本体２１上部の外周面に形成された雄ネジ２１ａに螺合しているノズルヘッド２２を螺脱させて螺合固定を解除する。すると、ステム２３内に収縮状態で収納されていたスプリング（図示せず）が開放され、ステム２３が上方向に伸長し、ノズルヘッド２２が上方に向かって上昇する（図４参照）。
【００２８】
そして、図４に示すように、ノズルヘッド２２側のノズル筒２２ｂと補助部材３０側のフランジ部３２とを対向させ、この状態において、例えば親指Ｆ１と人指し指Ｆ２との間に、ノズルヘッド２２の頭部とフランジ部３２の下面とを挟み込み、この状態から親指Ｆ１を押し込んでノズルヘッド２２を下方向に押下げると、内容液を他の残りの３本の指Ｆ３、Ｆ４、Ｆ５上に注出させることが可能となる。
このように本発明では、上下を反転させて装着した補助部材３０のフランジ部３２に指掛けの機能を生じさせることができるため、片手の操作のみでの内容液の注出が可能となる。
尚、最初にノズルヘッド２２を上方に向かって上昇させ、その後に補助部材３０を装着キャップ１０の外周壁１１から取り外し、さらに上下を反転させて第２姿勢とした補助部材３０を装着キャップ１０の外周壁１１に再装着しても良い。
【００２９】
次に、内容液の補充作業について説明する。
容器本体２内の内容液の残量が少なくなったポンプ付き注出容器１では、装着キャップ１０を回して雄ネジと雌ネジとの螺合を解除し、手動ポンプ２０を容器本体２内から取り出した状態において、すなわち容器本体２の口筒部を開放した状態において、新たな内容液が容器本体２内に補充される。
【００３０】
手動ポンプ２０を容器本体２内から取り出した後、補助部材３０を装着キャップ１０の外周壁１１から取り外すと共に、取り外した補助部材３０をノズルヘッド２２に装着する。
この際には、ノズルヘッド２２のノズル筒２２ｂが、補助部材３０の欠損部３５内に配置されるように設定すると共に、補助部材３０を、フランジ部３２を上方に向けた第１姿勢とした状態で、正立姿勢の状態（ノズルヘッド２２が上方の位置にある状態）にある手動ポンプ２０のノズルヘッド２２のヘッド本体２２ａに装着する。
あるいは、手動ポンプ２０が倒立姿勢の状態（（ノズルヘッド２２が下方の位置にある状態、図６参照）にある場合には、フランジ部３２を下方に向けた第２姿勢とした補助部材３０を、ノズルヘッド２２のヘッド本体２２ａに装着する。
【００３１】
補助部材３０をヘッド本体２２ａに装着すると、嵌合周壁部３１の内周面に形成されているフランジ部３２側の第１係止部３３が、ノズルヘッド２２を構成するヘッド本体２２ａの外周面に周設された下鍔部２２ｃを係止して保持する。そして、倒立姿勢とした手動ポンプ２０のフランジ部３２を、床や洗面台等の平面台４０の上に設置すると、フランジ部３２が倒立姿勢にある手動ポンプ２０を安定的に支え、手動ポンプ２０の転倒を抑制する。
【００３２】
よって、容器本体２内に新たな内容液を補充する補充作業中に、手動ポンプ２０が転倒し又は回転することを抑制することができることから、手動ポンプ２０の周囲に残留している内容液が床や洗面台等の平面台４０上に付着して汚してしまうことを防止することが可能となる。
【００３３】
さらには手動ポンプ２０が転倒や回転することがなく、手動ポンプ２０に異物が付着する機会もなくなるので、異物が容器本体２内に取り込まれてしまうことを防止することができる。
【００３４】
そして、内容液の補充作業が完了した後に、再度、装着キャップ１０を介して手動ポンプ２０を容器本体２の口筒部に固定すると共に、補助部材３０を装着キャップ１０の外周壁１１に装着することにより、内容液の注出が可能となる。
【００３５】
以上、実施例に沿って本発明の構成とその作用効果について説明したが、本発明の実施の形態は上記実施例に限定されるものではない。
例えば、上記実施例では、装着キャップ１０とポンプ本体２１とが別部材で形成された構成を示して説明したが、本発明は上記実施例に限定されるものではなく、装着キャップとポンプ本体とが一体に形成される構成であっても良い。
【００３６】
また上記実施例では、補助部材３０が嵌合周壁部３１及びフランジ部３２が形成されていない部分である欠損部３５を備える構成を示して説明したが、欠損部３５を有しない円筒状の構成とすることもでき、この場合には円筒状の補助部材３０にポンプ本体２１の下端（図５では上端）を挿入することにより、装着キャップ１０の外周壁１１に対して着脱させることが可能である。
【００３７】
また上記実施例では、径方向外側に向かって広がるように形成されたフランジ部３２の平面視形状として、略Ｃ字形状の場合を示して説明したが、本発明はこの形状に限定されるものはなく、手動ポンプ２０を倒立姿勢の状態で保持することができる形状であれば、例えば楕円形状、多角形状などその他の形状であっても良い。
【００３８】
さらに、補助部材３０はフランジ部３２を有さない構成とすることもできる。
この場合、床や洗面台等の平面台４０上に設置される補助部材３０の外周端が、倒立姿勢にある手動ポンプ２０を支えることになる、ただし、より安定的に倒立姿勢にある手動ポンプ２０を支えるためには、フランジ部３２を有する構成の方が好ましい。
【産業上の利用可能性】
【００３９】
本発明は、ポンプ付き注出容器の分野における用途展開をさらに広い領域で図ることができる。
【符号の説明】
【００４０】
１      ：  ポンプ付き注出容器
２      ：  容器本体
３    ：  底部
４    ：  胴部
１０    ：  装着キャップ
１１    ：  外周壁
１１ａ  ：  ローレット
２０    ：  手動ポンプ
２１    ：  ポンプ本体
２１Ａ  ：  頂壁
２１ａ  ：  雄ネジ
２２    ：  ノズルヘッド
２２ａ  ：  ヘッド本体
２２ａ１：  雌ネジ
２２ｂ  ：  ノズル筒
２２ｃ  ：  下鍔部
２２ｄ  ：  嵌合筒
２３    ：  ステム
３０    ：  補助部材
３１    ：  嵌合周壁部
３２    ：  フランジ部
３３    ：  第１係止部
３４    ：  第２係止部
３５    ：  欠損部
４０    ：  平面台
Ｆ１    ：  親指
Ｆ２    ：  人指し指
Ｆ３−Ｆ５  ：  他の指
Ｏ    ：  容器軸
【図１】
2020196478.tif 000003
【図２】
2020196478.tif 000004
【図３】
2020196478.tif 000005
【図４】
2020196478.tif 000006
【図５】
2020196478.tif 000007
【図６】
2020196478.tif 000008